(57)【要約】  エレベータの位置検出装置では、第１の診断スイッチ（１２２）を閉じると励磁コイル（１１）からの交流磁界によって第１の誘導磁界が診断コイル（１２１）から発生し、第２の診断スイッチ（１２３）を閉じると励磁コイル（１１）からの交流磁界によって第1 の誘導磁界よりも弱い第２の誘導磁界が診断コイル（１２１）から発生する。第１の誘導磁界が発生する常時Ｌ出力故障診断モードでは、検出領域での被検出体の有無にかかわらず測定信号の出力値が閾値よりも低くなる。第１及び第２の誘導磁界の発生がいずれも停止する常時Ｈ出力故障診断モードでは、検出領域での被検出体の有無にかかわらず測定信号の出力値が閾値以上になる。
2015181955.tif 000002
【特許請求の範囲】
【請求項１】
被検出体、及び  検出領域が設けられ、上記検出領域での上記被検出体の有無を検出するセンサ  を備え、  昇降体、及び上記昇降体が上下方向へ移動する昇降路内のうち、一方には上記被検出体が設けられ、他方には上記センサが設けられており、  上記センサは、  上記被検出体が上記検出領域にあるときに上記被検出体に交流磁界を印加して上記被検出体に渦電流磁界を発生させる励磁コイルと、  診断コイル、第１の診断スイッチ及び第２の診断スイッチを有し、上記第１の診断スイッチを閉じると上記励磁コイルからの交流磁界によって第１の誘導磁界が上記診断コイルから発生し、上記第２の診断コイルを閉じると上記励磁コイルからの交流磁界によって上記第１の誘導磁界よりも弱い第２の誘導磁界が上記診断コイルから発生する診断回路と、  上記励磁コイルからの交流磁界を受けることにより測定信号を出力し、上記渦電流磁界、上記第１の誘導磁界及び上記第２の誘導磁界のうち、発生した磁界に応じて測定信号の出力値が低下する測定コイルと、  上記第２の誘導磁界を上記診断コイルから発生させる通常モードから、上記第１の誘導磁界を上記診断コイルから発生させる常時Ｌ出力故障診断モード、及び上記第１及び第２の誘導磁界の発生をいずれも停止する常時Ｈ出力故障診断モードのいずれかに上記センサの動作モードを診断信号に基づいて切り替え、上記測定コイルからの測定信号の出力値が閾値よりも低いか否かに応じて、出力状態が互いに異なる検出信号を出力する処理部と  を備え、  上記通常モードでは、上記検出領域に上記被検出体が入ると上記測定信号の出力値が上記閾値よりも低くなるとともに、上記検出領域から上記被検出体が外れると上記測定信号の出力値が上記閾値以上になり、  上記常時Ｌ出力故障診断モードでは、上記検出領域での上記被検出体の有無にかかわらず上記測定信号の出力値が上記閾値よりも低くなり、  上記常時Ｈ出力故障診断モードでは、上記検出領域での上記被検出体の有無にかかわらず上記測定信号の出力値が上記閾値以上になるエレベータの位置検出装置。
【請求項２】
被検出体、及び  検出領域が設けられ、上記検出領域での上記被検出体の有無を検出するセンサ  を備え、  昇降体、及び上記昇降体が上下方向へ移動する昇降路内のうち、一方には上記被検出体が設けられ、他方には上記センサが設けられており、  上記センサは、  上記被検出体が上記検出領域にあるときに上記被検出体に交流磁界を印加して上記被検出体に渦電流磁界を発生させる励磁コイルと、  診断コイル及び第１の診断スイッチを有し、上記第１の診断スイッチを閉じると上記励磁コイルからの交流磁界によって第１の誘導磁界が上記診断コイルから発生する診断回路と、  上記励磁コイルからの交流磁界を受けることにより測定信号を出力し、上記渦電流磁界及び上記第１の誘導磁界のうち、発生した磁界に応じて測定信号の出力値が低下する測定コイルと、  上記第１の誘導磁界の発生を停止する通常モードから、上記第１の誘導磁界を上記診断コイルから発生させる常時Ｌ出力故障診断モードに上記センサの動作モードを診断信号の受信により切り替え、上記測定コイルからの測定信号の出力値が閾値よりも低いか否かに応じて、出力状態が互いに異なる検出信号を出力する処理部と  を備え、  上記通常モードでは、上記検出領域に上記被検出体が入ると上記測定信号の出力値が上記閾値よりも低くなるとともに、上記検出領域から上記被検出体が外れると上記測定信号の出力値が上記閾値以上になり、  上記常時Ｌ出力故障診断モードでは、上記検出領域での上記被検出体の有無にかかわらず上記測定信号の出力値が上記閾値よりも低くなるエレベータの位置検出装置。
【請求項３】
被検出体、及び  検出領域が設けられ、上記検出領域での上記被検出体の有無を検出するセンサ  を備え、  昇降体、及び上記昇降体が上下方向へ移動する昇降路内のうち、一方には上記被検出体が設けられ、他方には上記センサが設けられており、  上記センサは、  上記被検出体が上記検出領域にあるときに上記被検出体に交流磁界を印加して上記被検出体に渦電流磁界を発生させる励磁コイルと、  診断コイル及び第２の診断スイッチを有し、上記第２の診断スイッチを閉じると上記励磁コイルからの交流磁界によって第２の誘導磁界が上記診断コイルから発生する診断回路と、  上記励磁コイルからの交流磁界を受けることにより測定信号を出力し、上記渦電流磁界及び上記第２の誘導磁界のうち、発生した磁界に応じて測定信号の出力値が低下する測定コイルと、  上記第２の誘導磁界を上記診断コイルから発生させる通常モードから、上記第２の誘導磁界の発生を停止する常時Ｈ出力故障診断モードに上記センサの動作モードを診断信号の受信により切り替え、上記測定コイルからの測定信号の出力値が閾値よりも低いか否かに応じて、出力状態が互いに異なる検出信号を出力する処理部と  を備え、  上記通常モードでは、上記検出領域に上記被検出体が入ると上記測定信号の出力値が上記閾値よりも低くなるとともに、上記検出領域から上記被検出体が外れると上記測定信号の出力値が上記閾値以上になり、  上記常時Ｈ出力故障診断モードでは、上記検出領域での上記被検出体の有無にかかわらず上記測定信号の出力値が上記閾値以上になるエレベータの位置検出装置。
【請求項４】
上記検出領域は、上記昇降体の移動方向に沿って上記センサを見たとき、上記測定コイルと上記励磁コイルとの間に設けられている請求項１〜請求項３のいずれか一項に記載のエレベータの位置検出装置。
【請求項５】
上記診断コイルは、上記昇降体の移動方向に沿って上記センサを見たとき、上記検出領域からみて上記測定コイルと同じ側に配置されている請求項４に記載のエレベータの位置検出装置。
【請求項６】
上記センサは、  上記診断信号を上記処理部へ出力するとともに、上記処理部からの検出信号の出力状態と上記診断信号に基づく診断モードに対応する出力状態とを比較することにより、上記センサの故障の有無を判定するＣＰＵ  をさらに有している請求項１〜請求項５のいずれか一項に記載のエレベータの位置検出装置。
【発明の詳細な説明】
【技術分野】
【０００１】  この発明は、昇降体の位置を検出するためのエレベータの位置検出装置に関するものである。
【背景技術】
【０００２】  従来、各階に対応して互いに異なる出力パターンを出力する複数の位置検出センサをかごに設け、前回の出力パターン検出後に期待される遷移予測データと、今回の出力パターンとが一致しない場合に故障と判定するエレベータの位置検出装置が提案されている（特許文献１参照）。【０００３】
【特許文献１】特許第５３８０４０７号公報
【発明の開示】
【発明が解決しようとする課題】
【０００４】  しかし、かごが各階間を移動しなければ位置検出センサの故障の有無を判定することができない。また、各位置検出センサの故障の有無の判定のために複数の位置検出センサが必要となる。従って、故障の判定に手間がかかってしまうとともに、コストが増大してしまう。【０００５】  この発明は、上記のような課題を解決するためになされたものであり、コストの低減化を図ることができるとともに、故障の有無の判定を容易にすることができるエレベータの位置検出装置を得ることを目的とする。
【課題を解決するための手段】
【０００６】  この発明によるエレベータの位置検出装置は、被検出体、及び検出領域が設けられ、検出領域での被検出体の有無を検出するセンサを備え、昇降体、及び昇降体が上下方向へ移動する昇降路内のうち、一方には被検出体が設けられ、他方にはセンサが設けられており、センサは、被検出体が検出領域にあるときに被検出体に交流磁界を印加して被検出体に渦電流磁界を発生させる励磁コイルと、診断コイル、第１の診断スイッチ及び第２の診断スイッチを有し、第１の診断スイッチを閉じると励磁コイルからの交流磁界によって第１の誘導磁界が診断コイルから発生し、第２の診断コイルを閉じると励磁コイルからの交流磁界によって第１の誘導磁界よりも弱い第２の誘導磁界が診断コイルから発生する診断回路と、励磁コイルからの交流磁界を受けることにより測定信号を出力し、渦電流磁界、第１の誘導磁界及び第２の誘導磁界のうち、発生した磁界に応じて測定信号の出力値が低下する測定コイルと、第２の誘導磁界を診断コイルから発生させる通常モードから、第１の誘導磁界を診断コイルから発生させる常時Ｌ出力故障診断モード、及び第１及び第２の誘導磁界の発生をいずれも停止する常時Ｈ出力故障診断モードのいずれかにセンサの動作モードを診断信号に基づいて切り替え、測定コイルからの測定信号の出力値が閾値よりも低いか否かに応じて、出力状態が互いに異なる検出信号を出力する処理部とを備え、通常モードでは、検出領域に被検出体が入ると測定信号の出力値が閾値よりも低くなるとともに、検出領域から被検出体が外れると測定信号の出力値が閾値以上になり、常時Ｌ出力故障診断モードでは、検出領域での被検出体の有無にかかわらず測定信号の出力値が閾値よりも低くなり、常時Ｈ出力故障診断モードでは、検出領域での被検出体の有無にかかわらず測定信号の出力値が閾値以上になる。
【発明の効果】
【０００７】  この発明によるエレベータの位置検出装置によれば、昇降体を移動させずに停止させたまま、センサの故障の有無の判定を容易にすることができる。また、コストの低減化を図ることもできる。
【図面の簡単な説明】
【０００８】
【図１】この発明の実施の形態１によるエレベータを示す構成図である。
【図２】図１の識別板及びセンサを示す構成図である。
【図３】図２の識別板の等価回路を示す回路図である。
【図４】図２のセンサの通常モード、常時Ｈ出力故障診断モード、常時Ｌ出力故障診断モードのそれぞれにおける第１の診断スイッチの状態、第２の診断スイッチの状態、測定コイルからの測定信号の出力値を、検出領域に識別板がない場合と、検出領域に識別板がある場合とに分けて示すグラフである。
【図５】この発明の実施の形態２によるエレベータの位置検出装置を示す構成図である。
【図６】この発明の実施の形態３によるエレベータの位置検出装置を示す構成図である。
【図７】この発明の実施の形態４によるエレベータの位置検出装置を示す構成図である。
【図８】この発明の実施の形態５によるエレベータの位置検出装置を示す構成図である。
【図９】この発明の実施の形態６によるエレベータの位置検出装置を示す構成図である。
【図１０】この発明の実施の形態７によるエレベータの位置検出装置を示す構成図である。
【図１１】この発明の実施の形態８によるエレベータの位置検出装置を示す構成図である。
【図１２】この発明の実施の形態９によるエレベータの位置検出装置を示す構成図である。
【図１３】この発明の実施の形態１０によるエレベータの位置検出装置を示す構成図である。
【発明を実施するための最良の形態】
【０００９】  以下、この発明の好適な実施の形態について図面を参照して説明する。  実施の形態１．  図１は、この発明の実施の形態１によるエレベータを示す構成図である。昇降路１内には、かご（昇降体）２及び釣合おもり（図示せず）が吊体（例えばロープ又はベルト等）３によって吊り下げられている。吊体３は、図示しない巻上機（駆動装置）の駆動シーブに巻き掛けられている。かご２及び釣合おもりは、昇降路１内に設置された複数のレール（図示せず）に個別に案内されながら、巻上機の駆動力により昇降路１内を上下方向へ移動される。【００１０】  かご２には、かご出入口４が設けられている。かご出入口４は、図示しないかごドアの移動により開閉される。各階の乗場５には、昇降路１内に連通する乗場出入口６が設けられている。乗場出入口６は、図示しない乗場ドアの移動により開閉される。かご２がいずれかの階に停止してかご出入口４が乗場出入口６に対向しているときには、かごドアが乗場ドアと係合しながら移動されることにより、かご出入口４及び乗場出入口６が開閉される。【００１１】  昇降路１内には、複数の金属製の識別板（被検出体）７がかご２の移動方向について互いに間隔を置いて設けられている。この例では、各階の乗場出入口６の下部（各階に対応する位置）に識別板７がそれぞれ固定されている。【００１２】  かご２には、渦電流式のセンサ８が設けられている。この例では、センサ８がかご２の下部に設けられている。センサ８には、検出領域９が設けられている。センサ８は、検出領域９での識別板７の有無を検出する。かご２がいずれかの階に停止すると識別板７が検出領域９に入り、かご２が各階から上下方向へ移動すると識別板７が検出領域９から外れる。この例では、センサ８が水平方向について識別板７と対向することにより、識別板７が検出領域９に入る。【００１３】  センサ８は、検出領域９での識別板７の有無に応じて、出力状態が互いに異なる検出信号を出力する。この例では、センサ８が検出領域９に識別板７があることを検出するとセンサ８の検出信号の出力状態がＨ（high）出力状態（識別板有出力状態）となり、センサ８が検出領域９に識別板７がないことを検出するとセンサ８の検出信号の出力状態がＬ（low）出力状態（識別板無出力状態）となる。センサ８からの検出信号は、図示しない制御装置へ送られる。【００１４】  センサ８には、例えば、検出領域９での識別板７の有無にかかわらずセンサ８の検出信号の出力状態が常時Ｈ出力状態となる故障（常時Ｈ出力故障）、又は検出領域９での識別板７の有無にかかわらずセンサ８の検出信号の出力状態が常時Ｌ出力状態となる故障（常時Ｌ出力故障）が生じる可能性がある。本実施の形態では、常時Ｈ出力故障及び常時Ｌ出力故障のそれぞれの診断を行う機能（故障診断機能）がセンサ８に含まれている。即ち、センサ８は、通常時に識別板７の有無を検出する通常モードと、常時Ｌ出力故障の診断を行う常時Ｌ出力故障診断モードと、常時Ｈ出力故障の診断を行う常時Ｈ出力故障診断モードとの間で動作モードを切り替え可能になっている。なお、位置検出装置は、識別板７及びセンサ８を有している。【００１５】  図２は、図１の識別板７及びセンサ８を示す構成図で��る。図２では、かご２の移動方向に沿って上方から見たときの識別板７及びセンサ８を示している。センサ８は、励磁コイル１１と、診断回路１２と、測定コイル１３と、処理部（信号処理回路）１４とを有している。【００１６】  励磁コイル１１には、交流電源１５から交流電力が供給される。処理部１４には、励磁コイル１１に供給された交流電力に応じた参照信号が送られる。交流電力が励磁コイル１１に供給されると、検出領域９に及ぶ交流磁界が励磁コイル１１から発生する。これにより、識別板７が検出領域９にあるときには、励磁コイル１１からの交流磁界が識別板７に印加される。励磁コイル１１からの交流磁界が識別板７に印加されると、交流磁界に応じた渦電流が識別板７に発生する。識別板７からは、識別板７に発生した渦電流に応じて渦電流磁界が発生する。【００１７】  ここで、図３は、図２の識別板７の等価回路を示す回路図である。識別板７の等価回路は、識別板７に渦電流が発生することから、図３に示すように、渦電流の径に基づく等価コイル７１と識別板７の抵抗７２とを直列接続した閉回路として表される。【００１８】  診断回路１２は、図２に示すように、診断コイル１２１と、診断コイル１２１に対して並列接続された第１の診断スイッチ１２２と、診断コイル１２１に対して並列接続され、互いに直列接続された第２の診断スイッチ１２３及び抵抗１２４とを有する閉回路である。【００１９】  励磁コイル１１、測定コイル１３及び診断コイル１２１は、いずれも検出領域９からみて同じ側に配置されている。また、励磁コイル１１、測定コイル１３及び診断コイル１２１のうち、測定コイル１３が検出領域９に最も近い位置に配置され、診断コイル１２１が検出領域９から最も遠い位置に配置され、励磁コイル１１が測定コイル１３と診断コイル１２１との間の位置に配置されている。測定コイル１３及び診断コイル１２１は、励磁コイル１１からの交流磁界が及ぶ位置に配置されている。【００２０】  処理部１４は、第１及び第２の診断スイッチ１２２，１２３のそれぞれのＯＮ／ＯＦＦ動作（開閉動作）を制御することにより、通常モード、常時Ｌ出力故障診断モード及び常時Ｈ出力故障診断モード間でセンサ８の動作モードを切り替える。【００２１】  センサ８の動作モードが常時Ｌ出力故障診断モードであるときには、処理部１４の制御により、第１の診断スイッチ１２２が閉じ（ＯＮ状態になり）、第２の診断スイッチ１２３が開く（ＯＦＦ状態になる）。これにより、診断コイル１２１の両端部を短絡させた閉回路が診断回路１２に形成される。診断コイル１２１の両端部を短絡させた閉回路が診断回路１２に形成されると、識別板７に発生する渦電流よりも大きな第１の誘導電流（短絡電流）が励磁コイル１１からの交流磁界によって診断コイル１２１に流れる。診断コイル１２１は、第１の誘導電流が診断コイル１２１に流れることにより渦電流磁界よりも強い第１の誘導磁界を発生する。【００２２】  センサ８の動作モードが通常モードであるときには、処理部１４の制御により、第１の診断スイッチ１２２が開き（ＯＦＦ状態になり）、第２の診断スイッチ１２３が閉じる（ＯＮ状態になる）。これにより、診断コイル１２１と抵抗１２４とを直列接続した閉回路が診断回路１２に形成される。診断コイル１２１と抵抗１２４とを直列接続した閉回路が診断回路１２に形成されると、常時Ｌ出力故障診断モード時の第１の誘導電流よりも抵抗１２４によって低くなった第２の誘導電流が励磁コイル１１からの交流磁界によって診断コイル１２１に流れる。診断コイル１２１は、第２の誘導電流が診断コイル１２１に流れることにより第１の誘導磁界よりも弱い第２の誘導磁界を発生する。【００２３】  この例では、識別板７からの渦電流磁界と第２の誘導磁界とが同等の強さになるように抵抗１２４の抵抗値が調整されている。即ち、センサ８の動作モードが通常モードであるときには、診断コイル１２１と抵抗１２４とを直列接続した閉回路によって、識別板７と同等の性質を持つ板が励磁コイル１１の隣に仮想的に配置された状態になっている。【００２４】  センサ８の動作モードが常時Ｈ出力故障診断モードであるときには、処理部１４の制御により、第１及び第２の診断スイッチ１２２，１２３がいずれも開く（ＯＦＦ状態になる）。これにより、診断コイル１２１に誘導電流は流れず、診断コイル１２１からの第１及び第２の誘導磁界の発生はいずれも停止する。【００２５】  識別板７からの渦電流磁界、診断コイル１２１からの第１及び第２の誘導磁界は、励磁コイル１１からの交流磁界により誘導されて発生する磁界なので、励磁コイル１１からの交流磁界を打ち消す性質を持つ磁界になっている。【００２６】  測定コイル１３は、励磁コイル１１からの交流磁界を受けることにより、交流磁界に応じた測定信号を処理部１４へ出力する。また、測定コイル１３が受ける交流磁界の少なくとも一部は、識別板７が渦電流磁界を発生すると渦電流磁界により打ち消され、診断コイル１２１が第１又は第２の誘導磁界を発生すると第１又は第２の誘導磁界により打ち消される。これにより、測定コイル１３からの測定信号の出力値は、渦電流磁界、第１の誘導磁界及び第２の誘導磁界のうち、発生した磁界に応じて低下する。【００２７】  図４は、図２のセンサ８の通常モードＡ、常時Ｈ出力故障診断モードＢ、常時Ｌ出力故障診断モードＣのそれぞれにおける第１の診断スイッチ１２２の状態、第２の診断スイッチ１２３の状態、測定コイル１３からの測定信号の出力値を、検出領域９に識別板７がない場合と、検出領域９に識別板７がある場合とに分けて示すグラフである。図４に示すように、センサ８の動作モードが通常モードＡであるとき（即ち、第１の診断スイッチ１２２が開き、第２の診断スイッチ１２３が閉じているとき）に識別板７が検出領域９に入ると、識別板７からの渦電流磁界と診断コイル１２１からの第２の誘導磁界とによって励磁コイル１１からの交流磁界の一部が打ち消され、測定コイル１３からの測定信号の出力値が、処理部１４に設定された閾値よりも低くなる。一方、センサ８の動作モードが通常モードＡであるときに識別板７が検出領域９から外れると、識別板７から渦電流磁界が発生しなくなるので、測定コイル１３からの測定信号の出力値が上がり、測定コイル１３からの測定信号の出力値が閾値以上になる。【００２８】  センサ８の動作モードが常時Ｈ出力故障診断モードＢであるとき（即ち、第１及び第２の診断スイッチ１２２，１２３がいずれも開いているとき）には、診断コイル１２１から誘導磁界が発生しないので、励磁コイル１１からの交流磁界の一部が識別板７からの渦電流磁界によって打ち消されても、測定コイル１３からの測定信号の出力値が処理部１４の閾値以上となる状態を維持する。これにより、センサ８の動作モードが常時Ｈ出力故障診断モードＢであるときには、検出領域９での識別板７の有無にかかわらず、測定コイル１３からの測定信号の出力値が閾値以上になる。即ち、センサ８の動作モードが常時Ｈ出力故障診断モードＢであるときには、検出領域９での識別板７の有無にかかわらず識別板７がない状態が強制的に再現される。【００２９】  センサ８の動作モードが常時Ｌ出力故障診断モードＣであるとき（即ち、第１の診断スイッチ１２２が閉じ、第２の診断スイッチ１２３が開いているとき）には、励磁コイル１１からの交流磁界の全部を打ち消す強い第１の誘導磁界が診断コイル１２１から発生するので、検出領域９での識別板７の有無にかかわらず、測定コイル１３からの測定信号の出力値が閾値よりも低くなる。即ち、センサ８の動作モードが常時Ｌ出力故障診断モードＣであるときには、検出領域９での識別板７の有無にかかわらず識別板７がある状態が強制的に再現される。【００３０】  処理部１４は、制御装置からの診断信号の入力が停止されている通常時にセンサ８の動作モードを通常モードとする。制御装置からの診断信号には、常時Ｌ出力故障診断モード及び常時Ｈ出力故障診断モードのいずれかに切り替えるための情報が含まれている。処理部１４は、制御装置からの診断信号を受けると、診断信号に含まれる情報に基づいて、通常モードから、常時Ｌ出力故障診断モード及び常時Ｈ出力故障診断モードのいずれかにセンサ８の動作モードを切り替える。【００３１】  また、処理部１４は、測定コイル１３からの測定信号を受けると、測定コイル１３からの測定信号の出力値と、処理部１４に設定された閾値とを比較する。処理部１４は、測定コイル１３からの測定信号の出力値が閾値よりも低いか否かに応じて、出力状態が互いに異なる検出信号を制御装置へ出力する。即ち、処理部１４は、測定コイル１３からの測定信号の出力値が閾値よりも低いときにＨ出力状態の検出信号を制御装置へ出力し、測定コイル１３からの測定信号の出力値が閾値以上であるときにＬ出力状態の検出信号を制御装置へ出力する。【００３２】  これにより、センサ８の動作モードが通常モードであるときの処理部１４は、識別板７が検出領域９に入るとＨ出力状態の検出信号を制御装置へ出力し、識別板７が検出領域９から外れるとＬ出力状態の検出信号を制御装置へ出力する。また、センサ８の動作モードが常時Ｈ出力故障診断モードであるときの処理部１４は、検出領域９での識別板７の有無にかかわらずＬ出力状態の検出信号を制御装置へ出力する。さらに、センサ８の動作モードが常時Ｌ出力故障診断モードであるときの処理部１４は、検出領域９での識別板７の有無にかかわらずＨ出力状態の検出信号を制御装置へ出力する。【００３３】  制御装置は、診断信号を処理部１４へ出力することにより、センサ８の動作モードを、診断信号に含まれる情報に応じた診断モードにし、処理��１４への診断信号の出力を停止することにより、センサ８の動作モードを通常モードとする。制御装置は、センサ８の動作モードが通常モードであるときに、処理部１４からの検出信号の出力状態に基づいて、検出領域９に識別板７が入ったときのかご２の位置を特定し、特定したかご２の位置に基づいてエレベータの運転を制御する。【００３４】  また、制御装置は、センサ８の動作モードが常時Ｈ出力故障診断モード及び常時Ｌ出力故障診断モードのいずれかになっているときに、処理部１４からの検出信号の出力状態と、診断信号に基づく診断モードに対応する出力状態とを比較することにより、センサ８の故障の有無を判定する。即ち、制御装置は、センサ８の動作モードが常時Ｈ出力故障診断モードであるときに、処理部１４からの検出信号の出力状態がＬ出力状態（即ち、常時Ｈ出力故障診断モードに対応する出力状態）と同じ場合に常時Ｈ出力故障が生じていないとの判定（Ｈ出力正常判定）をし、処理部１４からの検出信号の出力状態がＬ出力状態と異なる場合に常時Ｈ出力故障が生じているとの判定（Ｈ出力故障判定）をする。また、制御装置は、センサ８の動作モードが常時Ｌ出力故障診断モードであるときに、処理部１４からの検出信号の出力状態がＨ出力状態（即ち、常時Ｌ出力故障診断モードに対応する出力状態）と同じ場合に常時Ｌ出力故障が生じていないとの判定（Ｌ出力正常判定）をし、処理部１４からの検出信号の出力状態がＨ出力状態と異なる場合に常時Ｌ出力故障が生じているとの判定（Ｌ出力故障判定）をする。【００３５】  次に、動作について説明する。制御装置の制御によりかご２が各階のいずれかに停止すると、かご２が停止した階に対応する識別板７がセンサ８の検出領域９に入る。識別板７が検出領域９に入ると、励磁コイル１１からの交流磁界が識別板７に印加され、識別板７から渦電流磁界が発生する。一方、かご２が各階のいずれかから上下方向へ移動すると、識別板７が検出領域９から外れ、識別板７から渦電流磁界が発生しなくなる。【００３６】  制御装置から処理部１４への診断信号の出力が停止されているときには、センサ８の動作モードが通常モードになっている。エレベータのサービス運転は、センサ８の動作モードを通常モードにした状態で行われる。【００３７】  センサ８の動作モードが通常モードになると、処理部１４の制御により、第１の診断スイッチ１２２が開き、第２の診断スイッチ１２３が閉じる。これにより、識別板７からの渦電流磁界と同等の強さを持つ第２の誘導磁界が診断コイル１２１から発生する。【００３８】  通常モード時に識別板７が検出領域９に入ると、識別板７からの渦電流磁界の発生により測定コイル１３からの測定信号の出力値が処理部１４の閾値よりも低くなり、Ｈ出力状態の検出信号が処理部１４から制御装置へ出力される。一方、通常モード時に識別板７が検出領域９から外れると、識別板７からの渦電流磁界がなくなることにより測定コイル１３からの測定信号の出力値が閾値以上になり、Ｌ出力状態の検出信号が処理部１４から制御装置へ出力される。【００３９】  制御装置では、処理部１４からの検出信号を受けると、検出信号の出力状態（Ｈ出力状態又はＬ出力状態）に基づいてかご２が階に��るか否かが判定される。エレベータの運転は、処理部１４からの検出信号に基づく判定結果に基づいて制御装置により制御される。【００４０】  常時Ｌ出力故障の診断を行うときには、常時Ｌ出力故障診断モードに切り替えるための情報を含む診断信号が制御装置から処理部１４へ出力される。これにより、センサ８の動作モードが通常モードから常時Ｌ出力故障診断モードに切り替わる。【００４１】  常時Ｌ出力故障診断モード時には、処理部１４の制御により、第１の診断スイッチ１２２が閉じ、第２の診断スイッチ１２３が開く。センサ８の動作モードが常時Ｌ出力故障診断モードになると、第２の誘導磁界よりも強い第１の誘導磁界が診断コイル１２１から発生する。これにより、検出領域９での識別板７の有無にかかわらず測定コイル１３からの測定信号の出力値が閾値よりも低くなる。【００４２】  診断信号が制御装置から処理部１４へ出力された後、処理部１４からの検出信号が制御装置に入力されると、制御装置では、処理部１４からの検出信号の出力状態と、診断信号に含まれる情報に基づく診断モード（常時Ｌ出力故障診断モード）対応する出力状態とが比較される。これにより、処理部１４からの検出信号の出力状態が常時Ｌ出力故障診断モードに対応するＨ出力状態と一致していれば、常時Ｌ出力故障が生じていないとのＬ出力正常判定が制御装置により行われる。一方、処理部１４にＨ出力状態の検出信号を強制的に出力させるための診断信号を制御装置から処理部１４へ出力したにもかかわらず、処理部１４からの検出信号の実際の出力状態がＨ出力状態と異なるときには、常時Ｌ出力故障がセンサ８に生じたとのＬ出力故障判定が制御装置により行われる。このようにして、センサ８の常時Ｌ出力故障の診断が行われる。【００４３】  常時Ｈ出力故障の診断を行うときには、常時Ｈ出力故障診断モードに切り替えるための情報を含む診断信号が制御装置から処理部１４へ出力される。これにより、センサ８の動作モードが通常モードから常時Ｈ出力故障診断モードに切り替わる。【００４４】  常時Ｈ出力故障診断モード時には、処理部１４の制御により、第１及び第２の診断スイッチ１２２，１２３がいずれも開く。センサ８の動作モードが常時Ｈ出力故障診断モードになると、診断コイル１２１から誘導磁界の発生が停止することにより、検出領域９での識別板７の有無にかかわらず測定コイル１３からの測定信号の出力値が閾値以上になる。【００４５】  診断信号が制御装置から処理部１４へ出力された後、処理部１４からの検出信号が制御装置に入力されると、制御装置では、処理部１４からの検出信号の出力状態と、診断信号に含まれる情報に基づく診断モード（常時Ｈ出力故障診断モード）に対応する出力状態とが比較される。これにより、処理部１４からの検出信号の出力状態が常時Ｈ出力故障診断モードに対応するＬ出力状態と一致していれば、常時Ｈ出力故障が生じていないとのＨ出力正常判定が制御装置により行われる。一方、処理部１４にＬ出力状態の検出信号を強制的に出力させるための診断信号を制御装置から処理部１４へ出力したにもかかわらず、処理部１４からの検出信号の実際の出力状態がＬ出力状態と異なるときには、常時Ｈ出力故障がセンサ８に生じた��のＨ出力故障判定が制御装置により行われる。このようにして、センサ８の常時Ｈ出力故障の診断が行われる。【００４６】  このようなエレベータの位置検出装置では、通常モードと、第１の診断スイッチ１２２を閉じて検出領域９での識別板７の有無にかかわらず測定コイル１３からの測定信号の出力値を閾値よりも低くする常時Ｌ出力故障診断モードと、第２の診断スイッチ１２３を閉じて検出領域９での識別板７の有無にかかわらず測定コイル１３からの測定信号の出力値を閾値以上にする常時Ｈ出力故障診断モードとの間でセンサ８の動作モードが切り替え可能になっているので、かご２を移動させずに停止させたまま、第１及び第２の診断スイッチ１２２，１２３のそれぞれを開閉するだけで、センサ８の常時Ｌ出力故障の有無及び常時Ｈ出力故障の有無のそれぞれの判定を行うことができる。これにより、センサ８の故障の有無の判定を容易にすることができる。また、故障診断を行うために複数の識別板７及び複数のセンサ８を必要としないので、位置検出装置のコストの低減化を図ることもできる。【００４７】  実施の形態２．  図５は、この発明の実施の形態２によるエレベータの位置検出装置を示す構成図である。なお、図５は実施の形態１での図２に対応する図である。診断回路１２は、診断コイル１２１と、診断コイル１２１に対して並列接続された第１の診断スイッチ１２２とを有する閉回路である。診断コイル１２１及び第１の診断スイッチ１２２の構成は実施の形態１と同様である。従って、本実施の形態での診断回路１２は、実施の形態１での診断回路１２から、第２の診断スイッチ１２３及び抵抗１２４を除いた回路になっている。【００４８】  処理部１４は、第１の診断スイッチ１２２のＯＮ／ＯＦＦ動作（開閉動作）を制御することにより、通常モード及び常時Ｌ出力故障診断モード間でセンサ８の動作モードを切り替え可能になっている。【００４９】  センサ８の動作モードが常時Ｌ出力故障診断モードであるときには、処理部１４の制御により、第１の診断スイッチ１２２が閉じる。これにより、診断コイル１２１の両端部を短絡させた閉回路が診断回路１２に形成される。診断コイル１２１の両端部を短絡させた閉回路が診断回路１２に形成されると、識別板７に発生する渦電流よりも大きな第１の誘導電流（短絡電流）が励磁コイル１１からの交流磁界によって診断コイル１２１に流れる。診断コイル１２１は、第１の誘導電流が診断コイル１２１に流れることにより渦電流磁界よりも強い第１の誘導磁界を発生する。第１の誘導磁界が診断コイル１２１から発生すると、励磁コイル１１からの交流磁界の全部が第１の誘導磁界によって打ち消される。これにより、検出領域９での識別板７の有無にかかわらず、測定コイル１３からの測定信号の出力値が閾値よりも低くなる。【００５０】  センサ８の動作モードが通常モードであるときには、処理部１４の制御により、第１の診断スイッチ１２２が開く。これにより、診断コイル１２１に誘導電流は流れず、診断コイル１２１からの第１の誘導磁界の発生が停止する。これにより、センサ８の動作モードが通常モードであるときには、識別板７が検出領域９に入ると測定コイル１３からの測定信号の出力値が閾値よりも低く��り、識別板７が検出領域９から外れると測定コイル１３からの測定信号の出力値が閾値以上になる。【００５１】  処理部１４は、制御装置からの診断信号の入力が停止されているときにセンサ８の動作モードを通常モードとし、制御装置からの診断信号を受けることにより通常モードから常時Ｌ出力故障診断モードに切り替える。これにより、センサ８の動作モードが通常モードであるときの処理部１４は、識別板７が検出領域９に入るとＨ出力状態の検出信号を制御装置へ出力し、識別板７が検出領域９から外れるとＬ出力状態の検出信号を制御装置へ出力する。また、センサ８の動作モードが常時Ｌ出力故障診断モードであるときの処理部１４は、検出領域９での識別板７の有無にかかわらずＨ出力状態の検出信号を制御装置へ出力する。【００５２】  制御装置は、診断信号を処理部１４へ出力してセンサ８の動作モードが常時Ｌ出力故障診断モードになっているときに、処理部１４からの検出信号の出力状態と、診断信号に基づく診断モード（常時Ｌ出力故障診断モード）に対応する出力状態（Ｈ出力状態）とを比較することにより、センサ８の常時Ｌ出力故障の有無を判定する。即ち、制御装置は、センサ８の動作モードが常時Ｌ出力故障診断モードであるときに、処理部１４からの検出信号の出力状態がＨ出力状態と同じ場合に常時Ｌ出力故障が生じていないとのＬ出力正常判定をし、処理部１４からの検出信号の出力状態がＨ出力状態と異なる場合に常時Ｌ出力故障が生じているとのＬ出力故障判定をする。他の構成は実施の形態１と同様である。【００５３】  このようなエレベータの位置検出装置では、通常モードと、第１の診断スイッチ１２２を閉じる常時Ｌ出力故障診断モードとの間でセンサ８の動作モードが切り替え可能になっているので、かご２を移動させずに停止させたまま、第１の診断スイッチ１２２を閉じるだけで、センサ８の常時Ｌ出力故障の有無の判定を行うことができる。これにより、センサ８の故障の有無の判定を容易にすることができる。また、故障診断を行うために複数の識別板７及び複数のセンサ８を必要としないので、位置検出装置のコストの低減化を図ることもできる。【００５４】  実施の形態３．  図６は、この発明の実施の形態３によるエレベータの位置検出装置を示す構成図である。なお、図６は実施の形態１での図２に対応する図である。診断回路１２は、診断コイル１２１と、診断コイル１２１に対して並列接続され、互いに直列接続された第２の診断スイッチ１２３及び抵抗１２４とを有する閉回路である。診断コイル１２１、第２の診断スイッチ１２３及び抵抗１２４の構成は実施の形態１と同様である。従って、本実施の形態での診断回路１２は、実施の形態１での診断回路１２から、第１の診断スイッチ１２２を除いた回路になっている。【００５５】  処理部１４は、第２の診断スイッチ１２２のＯＮ／ＯＦＦ動作（開閉動作）を制御することにより、通常モード及び常時Ｈ出力故障診断モード間でセンサ８の動作モードを切り替え可能になっている。【００５６】  センサ８の動作モードが通常モードであるときには、処理部１４の制御により、第２の診断スイッチ１２３が閉じる。これにより、診断コイル１２１と抵抗１２４とを直列接続した閉回路が診断回路１２に形成される。診断コイル１２１と抵抗１２４とを直列接続した閉回路が診断回路１２に形成されると、抵抗１２４によって短絡電流よりも低くなった第２の誘導電流が励磁コイル１１からの交流磁界によって診断コイル１２１に流れる。診断コイル１２１は、第２の誘導電流が診断コイル１２１に流れることにより第２の誘導磁界を発生する。この例では、識別板７からの渦電流磁界と第２の誘導磁界とが同等の強さになるように抵抗１２４の抵抗値が調整されている。【００５７】  第２の誘導磁界が診断コイル１２１から発生する通常モードでは、識別板７が検出領域９に入ると測定コイル１３からの測定信号の出力値が閾値よりも低くなり、識別板７が検出領域９から外れると測定コイル１３からの測定信号の出力値が閾値以上になる。【００５８】  センサ８の動作モードが常時Ｈ出力故障診断モードであるときには、処理部１４の制御により、第２の診断スイッチ１２３が開く。これにより、診断コイル１２１に誘導電流が流れず、診断コイル１２１からの誘導磁界の発生が停止する。診断コイル１２１からの誘導磁界の発生が停止した常時Ｈ出力故障診断モードでは、検出領域９での識別板７の有無にかかわらず、測定コイル１３からの測定信号の出力値が閾値以上になる。【００５９】  処理部１４は、制御装置からの診断信号の入力が停止されているときにセンサ８の動作モードを通常モードとし、制御装置からの診断信号を受けることにより通常モードから常時Ｈ出力故障診断モードに切り替える。センサ８の動作モードが通常モードであるときの処理部１４は、識別板７が検出領域９に入るとＨ出力状態の検出信号を制御装置へ出力し、識別板７が検出領域９から外れるとＬ出力状態の検出信号を制御装置へ出力する。また、センサ８の動作モードが常時Ｈ出力故障診断モードであるときの処理部１４は、検出領域９での識別板７の有無にかかわらずＬ出力状態の検出信号を制御装置へ出力する。【００６０】  制御装置は、診断信号を処理部１４へ出力してセンサ８の動作モードが常時Ｈ出力故障診断モードになっているときに、処理部１４からの検出信号の出力状態と、診断信号に基づく診断モード（常時Ｈ出力故障診断モード）に対応する出力状態（Ｌ出力状態）とを比較することにより、センサ８の常時Ｈ出力故障の有無を判定する。即ち、制御装置は、センサ８の動作モードが常時Ｈ出力故障診断モードであるときに、処理部１４からの検出信号の出力状態がＬ出力状態と同じ場合に常時Ｈ出力故障が生じていないとのＨ出力正常判定をし、処理部１４からの検出信号の出力状態がＬ出力状態と異なる場合に常時Ｈ出力故障が生じているとのＨ出力故障判定をする。他の構成は実施の形態１と同様である。【００６１】  このようなエレベータの位置検出装置では、第２の診断スイッチ１２３を開く通常モードと、第２の診断スイッチ１２３を閉じる常時Ｈ出力故障診断モードとの間でセンサ８の動作モードが切り替え可能になっているので、かご２を移動させずに停止させたまま、第２の診断スイッチ１２３を閉じるだけで、センサ８の常時Ｈ出力故障の有無の判定を行うことができる。これにより、センサ８の故障の有無の判定を容易にすることができる。また、故障診断を行うため��複数の識別板７及び複数のセンサ８を必要としないので、位置検出装置のコストの低減化を図ることもできる。【００６２】  実施の形態４．  図７は、この発明の実施の形態４によるエレベータの位置検出装置を示す構成図である。本実施の形態では、かご２の移動方向に沿ってセンサ８を見たとき、検出領域９が励磁コイル１１と測定コイル１３との間に設けられている。また、本実施の形態では、かご２の移動方向に沿ってセンサ８を見たとき、診断コイル１２１が検出領域９からみて励磁コイル１１と同じ側に配置されている。診断コイル１２１は、励磁コイル１１よりも検出領域９から離れた位置に配置されている。他の構成は実施の形態１と同様である。【００６３】  このように、励磁コイル１１と測定コイル１３との間に検出領域９を設けているので、かご２の揺れによる測定コイル１３からの測定信号の出力変動を小さくすることができるとともに、識別板７の誤検出の発生を抑制することもできる。これにより、センサ８の故障診断の精度を向上させることができる。【００６４】  実施の形態５．  図８は、この発明の実施の形態５によるエレベータの位置検出装置を示す構成図である。本実施の形態では、診断回路１２の構成が実施の形態２での診断回路１２の構成と同様になっている。即ち、本実施の形態では、診断回路１２が、診断コイル１２１に対して第１の診断スイッチ１２２を並列接続した閉回路になっている。他の構成は実施の形態４と同様である。【００６５】  このように、診断コイル１２１に対して第１の診断スイッチ１２２を並列接続した閉回路を診断回路１２とすれば、診断回路１２の構成を簡単にしながら、センサ８の常時Ｌ出力故障の診断についての精度を向上させることができる。【００６６】  実施の形態６．  図９は、この発明の実施の形態６によるエレベータの位置検出装置を示す構成図である。本実施の形態では、診断回路１２の構成が実施の形態３での診断回路１２の構成と同様になっている。即ち、本実施の形態では、診断回路１２が、互いに直列接続された第２の診断スイッチ１２３及び抵抗１２４を診断コイル１２１に対して並列接続した閉回路になっている。他の構成は実施の形態４と同様である。【００６７】  このように、互いに直列接続された第２の診断スイッチ１２３及び抵抗１２４を診断コイル１２１に対して並列接続した閉回路を診断回路１２とすれば、診断回路１２の構成を簡単にしながら、センサ８の常時Ｈ出力故障の診断についての精度を向上させることができる。【００６８】  実施の形態７．  図１０は、この発明の実施の形態７によるエレベータの位置検出装置を示す構成図である。本実施の形態では、かご２の移動方向に沿ってセンサ８を見たとき、検出領域９が励磁コイル１１と測定コイル１３との間に設けられている。また、本実施の形態では、かご２の移動方向に沿ってセンサ８を見たとき、診断コイル１２１が検出領域９からみて測定コイル１３と同じ側に配置されている。診断コイル１２１は、測定コイル１３よりも検出領域９から離れた位置に配置されている。他の構成は実施の形態１と同様である。【００６９】  このように、診断コイル１２１が検出領域９からみて測定コイル１３と同じ側に配置されているので、測��コイル１３と診断コイル１２１との間の結合定数を大きくすることができ、診断コイル１２１のインダクタンス（巻き数）を小さくすることができる。これにより、診断コイル１２１の実装コストの低減化を図ることができる。【００７０】  実施の形態８．  図１１は、この発明の実施の形態８によるエレベータの位置検出装置を示す構成図である。本実施の形態では、診断回路１２の構成が実施の形態２での診断回路１２の構成と同様になっている。即ち、本実施の形態では、診断回路１２が、診断コイル１２１に対して第１の診断スイッチ１２２を並列接続した閉回路になっている。他の構成は実施の形態７と同様である。【００７１】  このように、診断コイル１２１に対して第１の診断スイッチ１２２を並列接続した閉回路を診断回路１２とすれば、診断回路１２の構成を簡単にしながら、センサ８の常時Ｌ出力故障の診断についての精度を向上させることができる。【００７２】  実施の形態９．  図１２は、この発明の実施の形態９によるエレベータの位置検出装置を示す構成図である。本実施の形態では、診断回路１２の構成が実施の形態３での診断回路１２の構成と同様になっている。即ち、本実施の形態では、診断回路１２が、互いに直列接続された第２の診断スイッチ１２３及び抵抗１２４を診断コイル１２１に対して並列接続した閉回路になっている。他の構成は実施の形態７と同様である。【００７３】  このように、互いに直列接続された第２の診断スイッチ１２３及び抵抗１２４を診断コイル１２１に対して並列接続した閉回路を診断回路１２とすれば、診断回路１２の構成を簡単にしながら、センサ８の常時Ｈ出力故障の診断についての精度を向上させることができる。【００７４】  実施の形態１０．  図１３は、この発明の実施の形態１０によるエレベータの位置検出装置を示す構成図である。センサ８は、常時Ｈ出力故障診断モード及び常時Ｌ出力故障診断モードのいずれかに切り替えるための情報を含む診断信号を処理部１４へ出力するとともに、処理部１４からの検出信号を受けるＣＰＵ１５をさらに有している。【００７５】  ＣＰＵ１５は、診断信号を処理部１４へ出力することにより、センサ８の動作モードを、診断信号に含まれる情報に応じた診断モードにし、処理部１４への診断信号の出力を停止することにより、センサ８の動作モードを通常モードとする。【００７６】  また、ＣＰＵ１５は、センサ８の動作モードが常時Ｈ出力故障診断モード及び常時Ｌ出力故障診断モードのいずれかになっているときに、処理部１４からの検出信号の出力状態と、診断信号に基づく診断モードに対応する出力状態とを比較することにより、センサ８の故障の有無を判定する。即ち、ＣＰＵ１５は、センサ８の動作モードが常時Ｈ出力故障診断モードであるときに、処理部１４からの検出信号の出力状態がＬ出力状態と同じ場合に常時Ｈ出力故障が生じていないとのＨ出力正常判定をし、処理部１４からの検出信号の出力状態がＬ出力状態と異なる場合に常時Ｈ出力故障が生じているとのＨ出力故障判定をする。また、ＣＰＵ１５は、センサ８の動作モードが常時Ｌ出力故障診断モードであるときに、処理部１４からの検出信号の出力状態がＨ出力状態と同じ場合に常時Ｌ出力故障が生じていないとのＬ出力正常判定をし、処理部１４からの検出信号の出力状態がＨ出力状態と異なる場合に常時Ｌ出力故障が生じているとのＬ出力故障判定をする。【００７７】  ＣＰＵ１５は、センサ８の故障診断を行うと、正常判定をしたときには正常判定信号を、故障判定をしたときにはエラー信号をそれぞれ制御装置へ出力する。制御装置は、ＣＰＵ１５からの信号に基づいてエレベータの運転を制御する。他の構成は実施の形態１と同様である。【００７８】  このように、センサ８の故障の有無を判定するＣＰＵ１５がセンサ８に組み込まれているので、センサ８の故障の有無をセンサ８内で判定することができる（即ち、故障に関する自己診断の機能をセンサ８に持たせることができる）。【００７９】  なお、上記の例では、実施の形態１でのセンサ８にＣＰＵ１５が組み込まれているが、実施の形態２〜９でのセンサ８にＣＰＵ１５を含ませてもよい。【００８０】  また、各上記実施の形態では、識別板７が昇降路１内に設けられ、センサ８がかご２に設けられているが、昇降路１内に識別板７を設け、かご２にセンサ８を設けてもよい。【００８１】  また、各上記実施の形態では、センサ８がかご２に設けられているが、昇降体としての釣合おもりにセンサ８を設けてもよい。さらに、釣合おもりに識別板７を設け、昇降路１内にセンサ８を設けてもよい。
【図１】
2015181955.tif 000003
【図２】
2015181955.tif 000004
【図３】
2015181955.tif 000005
【図４】
2015181955.tif 000006
【図５】
2015181955.tif 000007
【図６】
2015181955.tif 000008
【図７】
2015181955.tif 000009
【図８】
2015181955.tif 000010
【図９】
2015181955.tif 000011
【図１０】
2015181955.tif 000012
【図１１】
2015181955.tif 000013
【図１２】
2015181955.tif 000014
【図１３】
2015181955.tif 000015
【手続補正書】
【提出日】平成28年5月16日(2016.5.16)
【手続補正１】
【補正対象書類名】特許請求の範囲
【補正対象項目名】全文
【補正方法】変更
【補正の内容】
【特許請求の範囲】
【請求項１】
被検出体、及び
検出領域が設けられ、上記検出領域での上記被検出体の有無を検出するセンサ
を備え、
昇降体、及び上記昇降体が上下方向へ移動する昇降路内のうち、一方には上記被検出体が設けられ、他方には上記センサが設けられており、
上記センサは、
上記被検出体が上記検出領域にあるときに上記被検出体に交流磁界を印加して上記被検出体に渦電流磁界を発生させる励磁コイルと、
診断コイル及び診断スイッチ部を有し、上記診断スイッチ部を閉じると上記励磁コイルからの交流磁界によって誘導磁界が上記診断コイルから発生する診断回路と、
上記励磁コイルからの交流磁界を受けることにより測定信号を出力し、上記渦電流磁界及び上記誘導磁界のうち、発生した磁界に応じて測定信号の出力値が低下する測定コイルと、
上記センサの動作モードを診断信号の受信により切り替え、上記測定コイルからの測定信号の出力値が閾値よりも低いか否かに応じて、出力状態が互いに異なる検出信号を出力する処理部と
を備えたエレベータの位置検出装置。
【請求項２】
上記診断スイッチ部は、第１の診断スイッチを有し、
上記診断回路は、上記第１の診断スイッチを閉じると上記励磁コイルからの交流磁界によって第１の誘導磁界が上記診断コイルから発生し、
上記測定コイルは、上記渦電流磁界及び上記第１の誘導磁界のうち、発生した磁界に応じて測定信号の出力値が低下し、
上記処理部は、上記第１の誘導磁界の発生を停止する通常モードから、上記第１の誘導磁界を上記診断コイルから発生させる常時Ｌ出力故障診断モードに上記センサの動作モードを切り替え、
上記通常モードでは、上記検出領域に上記被検出体が入ると上記測定信号の出力値が上記閾値よりも低くなるとともに、上記検出領域から上記被検出体が外れると上記測定信号の出力値が上記閾値以上になり、
上記常時Ｌ出力故障診断モードでは、上記検出領域での上記被検出体の有無にかかわらず上記測定信号の出力値が上記閾値よりも低くなる請求項１に記載のエレベータの位置検出装置。
【請求項３】
上記スイッチ部は、第２の診断スイッチを有し、
上記診断回路は、上記第２の診断スイッチを閉じると上記励磁コイルからの交流磁界によって第２の誘導磁界が上記診断コイルから発生し、
上記測定コイルは、上記励磁コイルからの交流磁界を受けることにより測定信号を出力し、上記渦電流磁界及び上記第２の誘導磁界のうち、発生した磁界に応じて測定信号の出力値が低下し、
上記処理部は、上記第２の誘導磁界を上記診断コイルから発生させる通常モードから、上記第２の誘導磁界の発生を停止する常時Ｈ出力故障診断モードに上記センサの動作モードを切り替え、
上記通常モードでは、上記検出領域に上記被検出体が入ると上記測定信号の出力値が上記閾値よりも低くなるとともに、上記検出領域から上記被検出体が外れると上記測定信号の出力値が上記閾値以上になり、
上記常時Ｈ出力故障診断モードでは、上記検出領域での上記被検出体の有無にかかわらず上記測定信号の出力値が上記閾値以上になる請求項１に記載のエレベータの位置検出装置。
【請求項４】
上記スイッチ部は、第１の診断スイッチ及び第２の診断スイッチを有し、
上記診断回路は、上記第１の診断スイッチを閉じると上記励磁コイルからの交流磁界によって第１の誘導磁界が上記診断コイルから発生し、上記第２の診断コイルを閉じると上記励磁コイルからの交流磁界によって上記第１の誘導磁界よりも弱い第２の誘導磁界が上記診断コイルから発生し、
上記測定コイルは、上記渦電流磁界、上記第１の誘導磁界及び上記第２の誘導磁界のうち、発生した磁界に応じて測定信号の出力値が低下し、
上記処理部は、上記第２の誘導磁界を上記診断コイルから発生させる通常モードから、上記第１の誘導磁界を上記診断コイルから発生させる常時Ｌ出力故障診断モード、及び上記第１及び第２の誘導磁界の発生をいずれも停止する常時Ｈ出力故障診断モードのいずれかに上記センサの動作モードを切り替え、
上記通常モードでは、上記検出領域に上記被検出体が入ると上記測定信号の出力値が上記閾値よりも低くなるとともに、上記検出領域から上記被検出体が外れると上記測定信号の出力値が上記閾値以上になり、
上記常時Ｌ出力故障診断モードでは、上記検出領域での上記被検出体の有無にかかわらず上記測定信号の出力値が上記閾値よりも低くなり、
上記常時Ｈ出力故障診断モードでは、上記検出領域での上記被検出体の有無にかかわらず上記測定信号の出力値が上記閾値以上になる請求項１に記載のエレベータの位置検出装置。
【請求項５】
上記検出領域は、上記昇降体の移動方向に沿って上記センサを見たとき、上記測定コイルと上記励磁コイルとの間に設けられている請求項１〜請求項４のいずれか一項に記載のエレベータの位置検出装置。
【請求項６】
上記診断コイルは、上記昇降体の移動方向に沿って上記センサを見たとき、上記検出領域からみて上記測定コイルと同じ側に配置されている請求項５に記載のエレベータの位置検出装置。
【請求項７】
上記センサは、
上記診断信号を上記処理部へ出力するとともに、上記処理部からの検出信号の出力状態と上記診断信号に基づく診断モードに対応する出力状態とを比較することにより、上記センサの故障の有無を判定するＣＰＵ
をさらに有している請求項１〜請求項６のいずれか一項に記載のエレベータの位置検出装置。
【国際調査報告】
2015181955.tif 000016
2015181955.tif 000017